(57)【要約】本発明は、２つのデバイスの間において無線接続を確立する方法である。本発明において、２つのデバイス、例えば、ＰＤＡ（１０）および移動電話（１１）の間における通信は、データの転送のためのブロードキャストｒｆチャネルへ切り換わる前に、最初に、赤外線信号送信のようなポイントトゥポイントチャネルを使用して確立される。その結果、無線ネットワークへ参加するために利用可能である多数のデバイスを具備する環境において、デバイスは、無線ネットワークへ簡単に追加されることができる。
2004503138.tif 000002
【特許請求の範囲】
【請求項１】
２つのデバイスの間において無線接続を確立する方法であって、前記方法は、
無線周波数波以外を使用するポイントトゥポイントチャネルによって第１デバイス（１０）から第２デバイス（１１，１２）へ第１信号を送ることと、
第１デバイス（１０）から第２デバイス（１１，１２）へ第２信号を送ることと
を具備し、
第１信号は、ブロードキャスト無線ｒｆチャネル（ＲＦ）に対するセットアップ情報を、第２デバイス（１１，１２）へ通信し、前記ブロードキャストチャネルは、前記第２信号に対して使用される
ことを特徴とする方法。
【請求項２】
ポイントトゥポイントチャネルは光学キャリア（ＩＲ）を使用する
ことを特徴とする請求項１記載の方法。
【請求項３】
セットアップ情報は、周波数ホッピングスキームを定義するデータを具備する
ことを特徴とする請求項１または請求項２の何れかに記載の方法。
【請求項４】
第１信号は暗号化鍵を具備する
ことを特徴とする請求項１から請求項３の何れかに記載の方法。
【請求項５】
第２信号は、前記鍵を使用して暗号化されたデータを具備する
ことを特徴とする請求項４記載の方法。
【請求項６】
前記方法は、第２デバイス（１１，１２）から第１デバイスへ第３信号を送ることを具備し、第３信号は、前記鍵を使用して暗号化されたデータを具備する
ことを特徴とする請求項４または請求項５の何れかに記載の方法。
【請求項７】
２つのデバイス（１０，１１，１２）の間において無線ネットワーク接続を確立する方法であって、前記方法は、
第２デバイス（１１，１２）から第１デバイス（１０）へネットワークアドミッションリクエスト信号を送ることと、
第１デバイス（１０）を具備するネットワークへ第２デバイス（１１，１２）が承認されるべきかということを判断することと
もし第２デバイス（１１，１２）がネットワークへ承認されるべきであるということが判断されるならば、請求項１から請求項６の何れかに記載の方法を実行することと
を具備し、
ネットワークアドミッションリクエスト信号は、前記ポイントトゥポイントチャネル（ＩＲ）において送られる
ことを特徴とする方法。
【請求項８】
通信設備を有するデバイスであって、該デバイスは、ｒｆトランシーバ（７）と非無線のポイントトゥポイントトランシーバ手段（８）とｒｆトランシーバ（７）およびポイントトゥポイントトランシーバ手段（８）を制御する制御手段（２）とを具備し、それによる伝送のためのデータを処理しかつそれによって受信されたデータを処理し、請求項１から請求項６の何れかに記載の方法における第１デバイス（１０）または第２デバイス（１１，１２）として機能するようにデバイスが構成されるように制御手段（２）がプログラムされる
ことを特徴とするデバイス。
【請求項９】
ポイントトゥポイントトランシーバ手段は光学トランシーバ手段である
ことを特徴とする請求項８記載のデバイス。
【請求項１０】
請求項８または請求項９の何れかによるコンピュータ。
【請求項１１】
請求項８または請求項９の何れかによる移動電話。
【請求項１２】
請求項８または請求項９の何れかによるプリンタ。
【発明の詳細な説明】
【０００１】
【発明の属する技術分野】
本発明は無線通信に関する。
【０００２】
【従来の技術および発明が解決しようとする課題】
ブルートゥース規格を実行するデバイスが、最近現れ始めている。ブルートゥースは共通の規格を提供する。該規格によって、ＰＤＡ（携帯情報端末）や移動電話やプリンタなどのようなデバイスが、互いに無線で通信できる。ブルートゥースは、２．４ＧＨｚ産業科学医療帯域における無線信号を使用する。
【０００３】
ブルートゥースは「込み入った環境における通信に対して、意図された受取人を発見する際に、問題が発生する」という弱点を有する。該込み入った環境とは、例えば、多数の人々が電子的な業務用名詞を交換している会議、または、多数の人々が　移動電話または音楽再生装置とイヤホンとの間においてブルートゥース接続を行っている通勤列車上である。ブルートゥースは、時間のかかる発見動作を実行しなくてはならない。該動作は、実際に、局所的な環境内の全てのブルートゥースデバイスの位置を突き止める。
【０００４】
【課題を解決するための手段】
本発明によると、２つのデバイスの間において無線接続を確立する方法であって、前記方法は、無線周波数波以外を使用するポイントトゥポイントチャネル（ｐｏｉｎｔ−ｔｏ−ｐｏｉｎｔ ｃｈａｎｎｅｌ）によって第１デバイスから第２デバイスへ第１信号を送ることと、第１デバイスから第２デバイスへ第２信号を送ることとを具備し、第１信号は、ブロードキャスト無線ｒｆチャネルに対するセットアップ情報を、第２デバイスへ通信し、前記ブロードキャストチャネルは、前記第２信号に対して使用されることを特徴とする方法が提供される。
【０００５】
本文献において、用語“ブロードキャスト”は、２以上の局によって同時に受信されることを意図される信号を参照するためよりもむしろ、実質的に無指向性の伝送を指向性のポイントトゥポイントチャネル伝送から区別するために使用される。用語“セットアップ情報”は、単に警告信号だけでなく、第２デバイスのブロードキャストチャネル伝送をセットアップするために第２デバイスによって使用される情報を意味する。ｒｆ無線通信を使用するシステムにおけるセットアップ情報を運ばない単純な赤外線警告信号の使用は、特開平８−２０４７９１号公報に開示されている。
【０００６】
第１信号は、第２信号によって即座に続かれる必要はない。例えば、第２信号が送られる前に、ある程度の相互識別および認識が、ポイントトゥポイントチャネルを使用して実施されてもよい。
【０００７】
ポイントトゥポイントチャネルは、媒体または誘導通信として、ケーブルを使用してもよい。しかしながら、ポイントトゥポイントチャネルは、好ましくは、光学キャリアを使用する。光学ファイバが、ポイントトゥポイントチャネルに対して使用されてもよいが、これは好ましくない。
【０００８】
セットアップ情報は、好ましくは、チャネルを定義するデータを具備し、より好ましくは、周波数ホッピングスキームを具備する。
【０００９】
第１信号は、ブロードキャストチャネルを使用するその後の通信に対してセキュリティを提供するために、暗号化鍵を具備してもよい。ポイントトゥポイントチャネルの非公開の性質は「ＰＧＰを具備する公開鍵コード以外のコードが使用されることができる」ということを意味する。そのような暗号化の他に、ｒｆ通信は、拡散スペクトル技術を使用して実施されてもよい。拡散スペクトル技術では、データレートより高いレートで、擬似ランダムシーケンスを用いて、キャリアが位相シフト変調される。
【００１０】
本発明によると、２つのデバイスの間において無線ネットワーク接続を確立する方法であって、前記方法は、第２デバイスから第１デバイスへネットワークアドミッションリクエスト（ｎｅｔｗｏｒｋ ａｄｍｉｓｓｉｏｎ ｒｅｑｕｅｓｔ）信号を送ることと、第１デバイスを具備するネットワークへ第２デバイスが承認されるべきかということを判断することともし第２デバイスがネットワークへ承認されるべきであるということが判断されるならば、本発明による２つのデバイスの間において無線接続を確立する方法を実行することとを具備し、ネットワークアドミッションリクエスト信号は、前記ポイントトゥポイントチャネルにおいて送られることを特徴とする方法が提供される。
【００１１】
第１デバイスは、ポイントトゥポイントチャネルを使用して第２デバイスへ適切な信号を送ることによって、ネットワークアドミッションリクエスト信号を送ることを第２デバイスに促してもよい。
【００１２】
本発明によると、通信設備を有するデバイスであって、該デバイスは、ｒｆトランシーバと非無線のポイントトゥポイントトランシーバ手段とｒｆトランシーバおよびポイントトゥポイントトランシーバ手段を制御する制御手段とを具備し、それによる伝送のためのデータを処理しかつそれによって受信されたデータを処理し、本発明による方法における第１デバイスまたは第２デバイスとして機能するようにデバイスが構成されるように制御手段がプログラムされることを特徴とするデバイスが提供される。
【００１３】
好ましくは、ポイントトゥポイントトランシーバ手段は、光学トランシーバ手段である。
【００１４】
本発明によるデバイスは、とりわけコンピュータまたは移動電話またはプリンタにおいて具体化されてもよい。
【００１５】
【発明の実施の形態】
本発明の実施形態が、一例として、添付図面を参照して、ここで記述される。
【００１６】
図１を参照すると、本発明によるデバイス１は、ＰＤＡまたは移動電話またはプリンタまたは他のデバイスであってもよく、バス１０によって相互連結されたプロセッサ２とＲＡＭ３とＲＯＭ４と表示回路５とユーザー入力回路６とｒｆサブシステム７とｉｒサブシステム８とを具備する。デバイス１は、その特定の機能に対して要求される追加回路および機械的要素（不図示）を有してもよい。それは例えば、移動電話の場合、信号処理であり、プリンタの場合、印刷エンジンである。
【００１７】
ＲＯＭ４は、ｒｆサブシステム７およびｉｒサブシステム８を使用する通信を制御するためのルーチンを具備する。これらのサブシステムは、ＡＰＩを介してプロセッサ２によって実行されるプログラムへアクセス可能である。
【００１８】
ｒｆサブシステム７は、局所発振器を具備するトランシーバ回路と、プロセッサ２からの命令に応答してトランシーバ回路を制御するためのコントローラとを具備する。トランシーバは、周波数ホッピング送信および受信に対して適応させられる。
【００１９】
重複するエリアにおいて機能してもよい２つの無線ネットワークの周波数ホッピングパターンを示す図２を参照すると、２．４ＧＨｚ ＩＳＭ帯域内のスペクトルの５０ＭＨｚ幅部分が、１ＭＨｚで間隔をあけられた搬送波を伴って、５０個のチャネルに分割される。デバイス１は、それぞれ２ｍｓのタイムスロット内のパケットにおいて、タイムスロット間で周波数を変えながら、データを送信する。１つのパケットが複数の連続的なタイムスロットを使用して送信されてもよく、かつ、複数のパケットが１つのタイムスロットにおいて送信されてもよい。周波数ホッピングは擬似ランダムであり、かつ、擬似ランダムシーケンスはその始まりにおいて継続されたので、何れかの所与のパケットに対して使用されるべきチャネルは、擬似ランダムシーケンスを制御するための“種（ｓｅｅｄ）”値とタイムスロットの数とを使用して決定されることができる。送信するためのデバイスの権利は、周波数ホッピングスキームから独立している。無線ネットワーク内のデバイスは、該デバイスが存在する無線ネットワークに対する擬似ランダムシーケンスによって決定される周波数上で送信する。
【００２０】
図３を参照すると、例示的な無線ネットワークは、ＰＤＡ１０と移動電話１１とプリンタ１２とを具備する。これらの全ては、図１のデバイスにおいて示される要素を有する。ＰＤＡ１０は、マスタであり、かつ、移動電話１１およびプリンタ１２の両方と直接通信できる。しかしながら、移動電話１１とプリンタ１２とは、スレーブであり、かつ、ＰＤＡ１０を介してのみ互いに通信できる。同じ擬似ランダムシーケンス（故に、同じ周波数ホッピングスキーム）が、ＰＤＡ１０と移動電話１１とプリンタ１２との間における全ての通信に対して使用される。
【００２１】
ＰＤＡ１０と移動電話１１との間における無線リンクの確立がここで記述される。
【００２２】
通信に対して利用可能であるとき、本発明による全てのデバイスは、ｉｒ信号に対するそれらの環境を監視する。ユーザーは、デバイスを通信に対して利用可能にしたくないとき、バッテリ電力を温存するために、ｉｒサブシステム８をディセーブル（ｄｉｓａｂｌｅ）にしてもよい。もしｉｒサブシステム８がかなりの期間使用されないならば、ｉｒサブシステム８はまた、タイマによってディセーブルにされることができる。
【００２３】
移動電話１１をＰＤＡ１０へ接続するために、移動電話１１はＰＤＡ１０の方へ持ってこられ（図４（ａ））、それによって、それらのｉｒポートは位置調整される（図４（ｂ））。
【００２４】
この時点において、ＰＤＡ１０および移動電話１１はいずれもマスタに指定されていない。このことは、それら自身の中から選り分けるためにＰＤＡ１０および移動電話１１へ任せられることができるが、本実施形態では、デバイスのユーザーまたはユーザー達が、該役割をデバイス１０，１１へ割当てることができる。「ＰＤＡ１０がマスタになるべきである」ということが仮定される。
【００２５】
ＰＤＡ１０および移動電話１１のｉｒポートが位置調整されると、移動電話１１のユーザーは“接続”コマンドを入力する。図５を参照すると、移動電話１１は、その無線ネットワークへのアドミッタンス（ａｄｍｉｔｔａｎｃｅ）をリクエストするＰＤＡ１０への“アドミッタンスリクエスト”信号を送ることによって応答する。この点において、ＰＤＡ１０は如何なる他のデバイスとも通信を未だ確立していないので、無線ネットワークは純粋に観念的である。“アドミッタンスリクエスト”信号は、移動電話１１へ与えられた（ユーザー定義されたまたはプリセットされた）“名前”と、デバイスタイプコードとを具備する。ＰＤＡ１０は「移動電話１１がＰＤＡ１０に対して知られているか」ということと「該名前およびデバイスタイプコードを使用してアドミッタンスを自動的に許可されるべきか」ということとを判断する。このことを行うために、ＰＤＡ１０は、ユーザーによって制御される“友人（ｆｒｉｅｎｄ）”のリストにおいて、移動電話１１を情報検索する。もし移動電話１１がＰＤＡ１０によって“友人”として認識されないならば、ＰＤＡ１０は、そのユーザーに対してメッセージを表示し、「移動電話１１が承認されるべきか」ということを質問する。もしユーザーが“いいえ”を入力することによって応答するならば、ＰＤＡ１０は“否定されたアドミッタンス”メッセージを移動電話１１へ送る。しかしながら、もし移動電話１１が承認されるべきならば、ＰＤＡ１０は、例えばＰＤＡ１０および移動電話１１の名前を入力として取得するアルゴリズムを使用して擬似ランダム番号種を選択し、かつ、擬似ランダム番号によって指定されるチャネル上で５０ｍｓ（即ち、２５タイムスロット）の間傾聴する。もしＰＤＡ１０がスレッショルド値より上の信号強度を有する３以上のバーストを検出するならば、ＰＤＡ１０は、他の擬似ランダム番号種を選択し、かつ、更に２５タイムスロットの間傾聴する。
【００２６】
もしＰＤＡ１０がスレッショルドより上の３以上のバーストを検出しないならば、ＰＤＡ１０は“許可されたアドミッション”信号を、そのｉｒサブシステム７を使用して、移動電話１１へおくる。“許可されたアドミッション”信号は、ＰＤＡ１０の名前およびデバイスタイプと、それ自身の無線ネットワークアドレスと、移動電話によって使用されるべき無線ネットワークアドレスと、擬似ランダム番号種と、タイムスロット番号と、ＰＤＡ１０によって確立された周波数ホッピングスキームと同期したクロック信号とを具備する。クロック信号は“許可されたアドミッション信号”において識別されるタイムスロットで終了する。“許可されたアドミッション”信号は、その後のｒｆ通信に対してスレーブデバイス（この場合、移動電話１１）によって使用されるべき暗号化鍵を、随意に運んでもよい。
【００２７】
移動電話１１が“許可されたアドミッション”信号を受信すると、移動電話１１は、“許可されたアドミッション”信号内のクロック信号およびスロット番号を使用して移動電話１１のｒｆサブシステム７のトランシーバをＰＤＡ１０のトランシーバと同期させ、かつ、「移動電話１１が通信する友人として移動電話１１がＰＤＡ１０を認識するか」ということを、ＰＤＡの名前およびデバイスタイプを使用して判断する。もしＰＤＡ１０が“友人”として認識されないならば、ＰＤＡ１０との接続プロセスを開始する際にユーザーが誤って判断された場合、移動電話１１はそのユーザーに照会する。もしユーザーが（照会に応答して）接続を認可しないならば、移動電話１１は、そのｒｆサブシステム７をスタンバイモードへ戻す。しかしながら、もし接続が許可されるならば、移動電話１１は、擬似ランダム番号種によって判断される周波数ホッピングチャネルにおいて傾聴することを開始する。
【００２８】
このときの間、ＰＤＡ１０は、そのｒｆサブシステムを使用して、移動電話１１へ向けられた多数の“呼び掛け”信号パケットを送信することを開始する。移動電話１１が“呼び掛け”信号パケットのうちの１つを受信すると、移動電話１１は“アクノレッジ”信号を用いて応答する。もしある一定時間内にまたはある一定数のパケット内において呼び掛け信号への応答が無いならば、ＰＤＡ１０は「マスタとして拒絶された」ということを想定し、かつ、移動電話１１へ信号送信することを停止する。
【００２９】
その後のｒｆ通信に対して、デバイス１０，１１は、変更された形態の割り込まされた（ｓｌｏｔｅｄ）ＡＬＯＨＡを使用する。ＡＬＯＨＡでは、特定のデバイスによる使用のために、ある割合のスロットが予約される。例えば、１００タイムスロットフレームにおいて、あるデバイスは、各フレーム内の２０番目と４０番目と６０番目と８０番目と１００番目のタイムスロットをそれに対して予約する。ところが、大量のデータを送信する必要がありそうもない他のデバイス（例えば、プリンタ）は、５０番目のタイムスロットのみを予約する。予約されるタイムスロットは、その無線ネットワーク内のデバイスのデバイスタイプコードに依存して、マスタデバイスによって判断される。都合のよいことには、特定のデバイスが使用しないスロットは、何れかの追加の既存の無線ネットワーク要素のネットワークアドレスと名前とデバイスタイプを伴って、それに向けられた“呼び掛け”パケットにおいて初めに通信される。
【００３０】
一旦ｒｆリンクが確立されると、デバイス１０，１１は、分離されることができ、かつ、互いに“隠される”ことができる。例えば、ユーザーは、移動電話１１をあるポケット内に置き、かつ、ＰＤＡ１０を他のポケット内に置いてもよい（図４（ｃ））。ｒｆリンクはサブストリームを提供する。サブストリーム上では（ＴＣＰ／ＩＰのような）より高いレベルのプロトコルが使用されることができる。
【００３１】
この時点において、ＰＤＡの無線ネットワークは、ＰＤＡ１０と移動電話１１とを具備する。「ここで、ユーザーは、プリンタ１２をその無線ネットワークへ加えることを所望する」ということが仮定される。プリンタ１２を無線ネットワークに加えるためにユーザーがプリンタ１２へ移動しかつプリンタ１２に関する制御を操作することは、必ずしも便利ではない。この問題を解決するために、マスタデバイス（この場合、ＰＤＡ１０）は、アドミッションをリクエストするために、他のデバイスを促すことができる。
【００３２】
図６および図７を参照すると、プリンタ１２を無線ネットワークへ加えることをＰＤＡ１０のユーザーが所望するとき、ユーザーは、ＰＤＡ１０のｉｒポートをプリンタ１２のｉｒポートと位置調整し、かつ、ＰＤＡ１０がｉｒ“アドミッタンスリクエスト勧奨（ｉｎｖｉｔａｔｉｏｎ）”信号をプリンタ１２へ送るということを引き起こすコマンドをＰＤＡ１０へ入力する。
【００３３】
プリンタ１２が“アドミッタンスリクエスト勧奨”信号を受信すると、プリンタ１２は「プリンタ１２が無線ネットワーク内に既に存在するか」ということを最初に判断する。もしそうならば、プリンタ１２は“ビジー”信号を用いて返答する。もしそうでないならば、プリンタ１２は“アドミッタンスリクエスト”信号をＰＤＡ１０へ送る。“アドミッタンスリクエスト”信号は、プリンタ１２の“名前”とデバイスタイプコードとを具備する。ＰＤＡ１０は、該名前とデバイスタイプコードとを使用して、「プリンタ１２がＰＤＡ１０に対して知られているか」ということと「プリンタ１２がアドミッタンスを許可されるべきか」ということとを自動的に判断する。もしプリンタ１２がＰＤＡ１０によって認識されないならば、ＰＤＡ１０は、そのユーザーに対してメッセージを表示し、「ｉｒ“リクエストデマンド”信号がプリンタ１２以外のデバイスによって偶然に受信されたかも知れないので、リクエストしているデバイスは承認されるべきか」ということを尋ねる。もしユーザーが“いいえ”を入力することによって応答するならば、ＰＤＡ１０は、“否定されたアドミッタンス”メッセージを、リクエストしているデバイスへ送る。しかしながら、もしプリンタ１２が返答しかつ承認されるべきであるならば、ＰＤＡ１０は、そのｉｒサブシステム８を使用して、“許可されたアドミッション”信号をプリンタ１２へ送る。“許可されたアドミッション”信号は、ＰＤＡ１０の名前およびデバイスタイプと、それ自身の無線ネットワークアドレスと、移動電話によって使用されるべき無線ネットワークアドレスと、擬似ランダム番号種と、タイムスロット番号と、ＰＤＡ１０によって確立された周波数ホッピングスキームと同期されたクロック信号とを具備する。クロック信号は“許可されたアドミッション信号”において識別されるタイムスロットにおいて終了する。
【００３４】
前と同じように、ＰＤＡ１０は、そのｒｆサブシステム８を使用して、プリンタ１２へ現在向けられた多数の“呼び掛け”信号パケットを送信することを開始する。プリンタ１２が“呼び掛け”信号パケットのうちの１つを受信すると、プリンタ１２は“アクノレッジ”信号を用いて応答する。もしある一定時間以内においてまたはある一定数のパケット以内において呼び掛け信号に対する応答が無いならば、ＰＤＡ１０は「結局、プリンタ１２によってマスタとして拒絶された」と仮定し、かつ、移動電話１１へ信号送信することを停止する。
【００３５】
“アクノレッジ”信号がＰＤＡ１０によって受信されると、ＰＤＡ１０は、新たな“予約されたスロット”信号を、無線ネットワークの他の要素へ送る。該信号は、プリンタの予約されたスロットとプリンタのネットワークアドレスとを、該他の要素に通知する。
【００３６】
無線ネットワーク内に存在する間、ＰＤＡ１０は、６０秒毎に、各々のスレーブをポーリングする。もし２つの連続するポーリングに対してスレーブデバイス１１，１２から返答が受信されないならば、ＰＤＡ１０は「スレーブデバイスは、例えば、圏外へ行くことによって、または、スイッチオフされることによって、または、ＰＤＡ１０からの信号を無視するようにユーザーに指示されることによって、無線ネットワークから不在である」と判断する。ＰＤＡ１０は、これに対して、不在デバイスの詳細をそのネットワーク記録から除去することによって、かつ、新たな“予約されたスロット”メッセージを全てのとどまっているスレーブへ送ることによって応答する。それによって、「不在デバイスが無線ネットワークから去った」ということを全てのとどまっているスレーブに通知し、かつ、それらの予約されたスロットリストを変更する。
【００３７】
ＰＤＡ１０のユーザーはまた、共有されたプリンタを使用して印刷した後に望ましいように、適切なコマンドを入力することによって、スレーブを無線ネットワークからイジェクトしてもよい。イジェクトはＰＤＡ１０によって実行される。ＰＤＡ１０は、“イジェクト”メッセージを当該デバイスへ送り、かつ、新たな“予約されたスロット”メッセージを全てのとどまっているスレーブへ送る。それによって、「イジェクトされたデバイスが無線ネットワークから去った」ということを全てのとどまっているスレーブに通知し、かつ、それらの予約されたスロットリストを変更する。
【００３８】
スレーブが何も残されていないときは、ＰＤＡ１０は、そのｒｆサブシステム７をスタンバイモードにする。スタンバイモードにおいて、ＰＤＡ１０は、信号に対して傾聴することと信号を送信することとを中止する。同様に、スレーブが無線ネットワークを去る場合、そのｒｆサブシステム７はまた、スタンバイモードにされる。
【００３９】
このように、本発明は、ブルートゥースに対して採用されるｒｆのみのアプローチに固有の問題を回避する無線ネットワーキングシステムを提供する。
【００４０】
変更された形態において、ｒｆおよびｉｒサブシステムとプロセッサ２に対するプログラムとは、旧版互換性を提供するために、ブルートゥースおよびｉｒＤＡプロトコルに従って随意に機能するように適応させられてもよい。この場合、本発明による実施は、好ましくは、ブルートゥースハンドプラン（ｈａｎｄｐｌａｎ）を使用する。
【００４１】
「本発明は、多数の形態で具体化されてもよく、かつ、デバイスは、必ずしも形態可能である必要はない」ということが認識される。例えば、ＰＤＡまたは移動電話のような携帯可能デバイスは、建物に入ると、形態可能デバイスのｉｒポートを（該建物のエントランスに都合よく提供されている）マスタに属するポートと位置調整することによって、固定されたマスタへ接続できる。
【００４２】
他の実施形態において、無線ネットワークからのスレーブのイジェクトは、例えば、ユーザー入力に応答して、ｉｒ“イジェクト”信号をスレーブからマスタへ送ることによって実施されてもよい。これは、全てのとどまっているスレーブへの新たなｒｆ“予約されたスロット”メッセージによって続かれる。それによって、「イジェクトされたデバイスが無線ネットワークから去った」ということを全てのとどまっているスレーブに通知し、かつ、それらの予約されたスロットリストを変更する。この場合、ユーザーは、（マスタによって記憶されかつ表示される）おそらく暗号化された名前に基づいてイジェクトされるべきデバイスを識別するという問題を有しない。
【図面の簡単な説明】
【図１】本発明によるデバイスを示す図である。
【図２】図１のデバイスによって使用される周波数ホッピングを図解する図である。
【図３】本発明によって形成される無線ネットワークを示す図である。
【図４】無線ネットワークを確立する２つのデバイスを示す図である。
【図５】２つのデバイスの間において無線チャネルをセットアップするための第１信号送信スキームを示す図である。
【図６】無線ネットワークへ追加される更なるデバイスを示す図である。
【図７】デバイスの間において無線チャネルをセットアップするための第２信号送信スキームを示す図である。
【符号の説明】
１０……ＰＤＡ
１１……移動電話
１２……プリンタ
【図２】
2004503138.tif 000003
【図５】
2004503138.tif 000004
【図７】
2004503138.tif 000005
【国際公開パンフレット】
2004503138.tif 000006
2004503138.tif 000007
2004503138.tif 000008
2004503138.tif 000009
2004503138.tif 000010
2004503138.tif 000011
2004503138.tif 000012
2004503138.tif 000013
2004503138.tif 000014
2004503138.tif 000015
2004503138.tif 000016
2004503138.tif 000017
2004503138.tif 000018
2004503138.tif 000019
2004503138.tif 000020
2004503138.tif 000021
2004503138.tif 000022
2004503138.tif 000023
2004503138.tif 000024
2004503138.tif 000025
【国際調査報告】
2004503138.tif 000026
2004503138.tif 000027
2004503138.tif 000028